(57)【要約】【課題】バーナとして、燃焼筒内に配置された燃料噴射管と、該燃料噴射管の先端近傍に取り付けられた保炎板とを備える形態の自己排ガス再循環型バーナをそのまま用いて、従来の燃焼装置よりも燃焼により生成されるＮＯｘおよびＣＯの低減を図ることのできる改良された燃焼装置を提供する。【解決手段】筒状の燃焼室１０と、燃焼室１０に形成された排気出口１３と、燃焼室１０内に配置したバーナを持つ燃焼装置Ａにおいて、バーナは、燃焼室１０の軸心線Ｌ方向に延出する燃焼筒１８と、燃焼筒１８内に配置された燃料噴射管２０と、燃料噴射管２０の先端近傍に取り付けられた保炎板２３とを備える形態であり、そのバーナの２個以上が位置的に隣接して配置されたバーナ群３０として燃焼室１０に配置されている。好ましくは、バーナ群３０は、燃焼室１０の中心軸心線Ｌから排気出口１３の位置とは反対方向に偏心した状態で配置される。【選択図】図１
2008145069.tif 000002
【特許請求の範囲】
【請求項１】
筒状の燃焼室と該燃焼室に形成された排気出口と前記燃焼室内に配置したバーナを持つ燃焼装置であって、
前記バーナは、前記燃焼室の軸心線方向に延出する燃焼筒と、該燃焼筒内に配置された燃料噴射管と、該燃料噴射管の先端近傍に取り付けられた保炎板とを備える形態であり、
前記バーナの２個以上が位置的に隣接して配置したバーナ群として前記燃焼室に配置されていることを特徴とする燃焼装置。
【請求項２】
前記バーナ群は、前記燃焼室の中心軸心線から前記排気出口の位置とは反対方向に偏心した状態で配置されていることを特徴とする請求項１に記載の燃焼装置。
【請求項３】
前記バーナ群における各バーナは、前記燃料噴射管に形成するガスノズルの向きが互いに対向する位置とならないようにそれぞれ配置されていることを特徴とする請求項１または２に記載の燃焼装置。
【請求項４】
前記バーナ群における各バーナは、各バーナにより形成される火炎が相互干渉によりＣＯやＮＯｘが増加しない程度に距離をおいて配置されていることを特徴とする請求項１または２に記載の燃焼装置。
【請求項５】
前記バーナ群の１のバーナにのみ点火用バーナが設けられており、他のバーナは該１のバーナの着火により着火される位置に配置されていることを特徴とする請求項１ないし４のいずれかに記載の燃焼装置。
【発明の詳細な説明】
【技術分野】
【０００１】
本発明は燃焼装置、特に、筒状の燃焼室の内部にバーナを備えた形態の燃焼装置に関する。
【背景技術】
【０００２】
筒状の燃焼室内にバーナを配置するとともに、該燃焼室の側壁や端部に排気出口を形成した形態の比較的小型の燃焼装置は知られており、また、この形態の燃焼装置の使用例として、水管で燃焼室を形成し、水管内の水を加熱するようにした貫流ボイラや水管ボイラ、円筒形の燃焼室の周囲の水を加熱する炉筒煙管ボイラなどが知られている。このような燃焼装置において、燃焼により生成されるＮＯｘおよびＣＯの発生を低減することが課題となっており、バーナ自体の構造に対して、あるいは燃焼装置そのものの構造に対して、種々の提案がなされている。
【０００３】
特許文献１には、ＮＯｘおよびＣＯの発生を低減することが可能なバーナとして、燃焼筒内に配置された燃料噴射管と、該燃料噴射管の先端近傍に取り付けられた保炎板とを備える形態の自己排ガス再循環型のバーナが記載されている。そこにおいて、保炎板に形成する燃焼用空気通過孔は、燃料噴出管から放射状に噴出される燃料噴出方向には形成されていない。
【０００４】
特許文献２には、図１２に示すように、燃焼室の中心に自己排ガス再循環式のバーナ６０を配置した、水管群６１を備えたボイラ６２において、前記バーナ６０として、燃焼室の中心に設けた燃焼筒６３と、その燃焼筒６３の内側に配置された燃料噴射管６４と、燃料噴射管６４の先端部に取り付けられた保炎板６５とを備えたバーナを用いるとともに、燃料噴射管６４と保炎板６５の中心Ｃ１を燃焼筒６３の中心（すなわち燃焼室の中心）Ｃ２から所定量ａだけ偏心させて位置させたバーナ６０が記載されている。
【０００５】
特許文献３には、中心軸に沿って開口した排気出口を有する円筒形の燃焼室内に燃料噴霧ノズルと空気ノズルとを備えたバーナを取り付けたボイラにおいて、空気ノズルからの空気噴出方向を変えることにより、噴出空気量を、燃焼室の中心軸を基準として排気出口に近い側で少なくなるようにしたものが記載されている。この形態のボイラでは、燃焼室内での燃焼ガスの滞留時間を長くすることができＣＯの発生を抑制するとともに、自己排ガス再循環効果を高めて低ＮＯｘ化も可能になると記載されている。
【０００６】
【特許文献１】特開２０００−２４９３１３号公報
【特許文献２】特開平６−１９３８２４号公報
【特許文献３】特開２００６−５７９９６号公報
【発明の開示】
【発明が解決しようとする課題】
【０００７】
上記のように、従来は、ボイラ等の燃焼装置において、燃焼により生成されるＮＯｘおよびＣＯの低減を図るために、特許文献１に記載される形態の自己排ガス再循環型のバーナにおいて、燃焼室の中心に取り付けたバーナの燃料噴射管と保炎板の中心を燃焼筒の中心から所定量偏心させるなどバーナの構造に工夫を加えるか（特許文献２）、あるいは、燃焼室内に燃料噴霧ノズルと空気ノズルとを備えたバーナを取り付けたボイラにおいて、空気ノズルからの噴出空気量を、燃焼室の中心軸を基準として排気出口に近い側で少なくするなど燃焼装置に対して工夫を加えるようにしているが（特許文献３）、更なるＮＯｘ排出濃度の低減と、同時に発生するＣＯの抑制面で、なお解決すべき課題が残っている。
【０００８】
本発明は、上記課題を解決することを目的としており、より具体的には、筒状の燃焼室と該燃焼室に形成された排気出口と前記燃焼室内に配置したバーナを持つ従来知られた形態の燃焼装置において、バーナとして、例えば特許文献１に記載されるような、燃焼筒内に配置された燃料噴射管と、該燃料噴射管の先端近傍に取り付けられた保炎板とを備える形態の自己排ガス再循環型バーナをそのまま用いて、従来の燃焼装置よりも燃焼により生成されるＮＯｘおよびＣＯの低減を図ることのできる改良された燃焼装置を提供することを目的とする。
【課題を解決するための手段】
【０００９】
本発明者らは、上記の課題を解決すべく、例えば円筒形のような筒状の燃焼室と該燃焼室に形成された排気出口と前記燃焼室内に配置したバーナを持つ燃焼装置を用いて、多くの燃焼実験を行うことにより、燃料の投入熱量が同じであっても、それを単一のバーナによる燃焼ではなく、位置的に隣接して配置した複数のバーナからの燃焼によって得るようにした場合に、燃焼により生成されるＮＯｘおよびＣＯの低減を図ることができるという事実を知見した。
【００１０】
本発明はその知見に基づくものであり、本発明による燃焼装置は、筒状の燃焼室と該燃焼室に形成された排気出口と前記燃焼室内に配置したバーナを持つ燃焼装置であって、前記バーナは、前記燃焼室の軸心線方向に延出する燃焼筒と、該燃焼筒内に配置された燃料噴射管と、該燃料噴射管の先端近傍に取り付けられた保炎板とを備える形態であり、前記バーナの２個以上が位置的に隣接して配置したバーナ群として前記燃焼室に配置されていることを特徴とする。
【００１１】
前記したように、燃焼筒と、該燃焼筒内に配置された燃料噴射管と、前記燃料噴射管の先端近傍に取り付けられた保炎板とを備える形態のバーナは、特許文献１等に記載のように既に知られている。本発明者らは、上記形態のバーナの大型化を試みたが、燃焼により生成されるＮＯｘおよびＣＯの低減に関して目標とする結果を得ることができなかった。そこで、本発明による燃焼装置では、前記形態のバーナの複数個を位置的に隣接したバーナ群として構成し、そこから同じ燃料の投入熱量を得るようにしている。それにより、ＮＯｘ排出濃度を低減し、同時に発生するＣＯも抑制することが可能となった。
【００１２】
本発明による燃焼装置において、筒状の燃焼室は縦置き（縦型）であってもよく横置き（横型）であってもよい。いずれであっても、前記バーナ群は、その燃焼筒が当該燃焼室の軸心線の方向に延出する姿勢で配置される。また、排気出口は、円筒形の燃焼室の側壁に形成してもよく、バーナを配置した側と反対側の底面部分に形成してもよい。
【００１３】
本発明による燃焼装置において、筒状の燃焼室という場合の「筒状」の語は、周側壁を有し内部が中空状態のものすべて含む言葉として用いており、円筒状に限ることなく、軸心線に垂直な断面が楕円状、長円状、コーナー部を丸めた矩形状等の燃焼室も含まれる。そして、そのような筒状の燃焼室の軸心線方向の一端側に前記バーナ群が取り付けられる。
【００１４】
本発明による燃焼装置の好ましい態様では、前記バーナ群は、前記燃焼室の中心軸心線から前記排気出口の位置とは反対方向に偏心した状態で配置される。この態様では、燃焼室内での燃焼ガスの滞留時間を長くできること、および自己排ガス再循環量を増加できることから、生成されるＮＯｘおよびＣＯの低減効果を一層確保することができる。なお、この態様は、排気出口を燃焼室の側壁部に形成した態様、および排気出口を燃焼室のバーナを配置した側と反対側の底面部分に燃焼室の中心軸線から偏位した位置に形成した態様のいずれにも適用可能であり、同じ作用効果を達成できる。
【００１５】
本発明による燃焼装置において、各バーナからの火炎が相互に大きく干渉するようになると、ＮＯｘ排出濃度の低減率がやや低下することが実験的に確かめられた。従って、本発明による燃焼装置の好ましい態様では、前記バーナ群における各バーナは、前記燃料噴射管に形成するガスノズルの向きが互いに対向する位置とならないようにそれぞれ配置して、火炎が相互に大きく干渉しないようにするか、あるいは距離をおいて配置し、各バーナにより形成される火炎が相互干渉してＣＯやＮＯｘが増加しないようにする。必要な場合には、１つのバーナ群で双方の配置を取るようにしてもよい。
【００１６】
本発明による燃焼装置の他の態様において、前記バーナ群の１のバーナにのみ点火用バーナが設けられ、他のバーナは該１のバーナの火炎により着火される位置に配置される。この態様は、本発明による燃焼装置が、位置的に隣接したバーナ２個以上をバーナ群として燃焼室内に配置する構成であることから可能となったものであり、燃焼装置の全体構成を簡素化できかつ低コスト化も達成できる。
【００１７】
本発明の燃焼装置は種々の用途に用いることができる。限定されないが、縦型燃焼室の軸線方向に水管を環状に配列した構成を持つボイラ、例えばωフロー型と通称されているボイラの燃焼装置として用いる場合に、特に有効である。この場合に、本発明者らの実験では、円筒形の燃焼室の側壁部にスリット状の排気出口を、その上流側すなわちバーナを配置した側を部分的に（好ましくは１／２程度）閉塞した形状とすることにより、より高い低ＮＯｘ性能と低ＣＯ性能が得られることが確認された。
【発明の効果】
【００１８】
本発明によれば、筒形の燃焼室と燃焼室に形成された排気出口と該燃焼室内に配置したバーナを持つ燃焼装置において、燃焼ガス中のＮＯｘ濃度を低下させると共にＣＯの生成を抑制することが可能となる。
【発明を実施するための最良の形態】
【００１９】
以下、図面を参照しながら、本発明を実施の形態に基づき説明する。図１ａは本発明による燃焼装置の一例を示す斜視図、図１ｂはその上面図を示し、図２は燃焼装置で用いるバーナの一例を示している。図２ａはバーナの底面図であり、図２ｂは図２ａのｂ−ｂ線に沿う一部断面図である。図３ａと図３ｂは本発明によるバーナ群の２つの例を説明するための図であり、バーナ群を下から見て示している。
【００２０】
図示の例において、燃焼装置Ａは円筒形の燃焼室１０を持つ。燃焼室１０は縦置きされており、その中心軸心線Ｌは上下方向に延出している。燃焼室１０の底面１１は閉塞しており、また、燃焼室１０の周側壁１２の下流側には軸心線Ｌの方向に沿う排気出口１３が形成されている。
【００２１】
燃焼室１０の上面１４は閉塞しており、該閉塞した上面１４には軸心線Ｌと同心円状に開口１５が形成され、該開口１５はバーナフランジ１６が着脱自在に装着されている。バーナフランジ１６には、軸心線Ｌとの交点Ｏから等距離ａの箇所に中心を持つ３つの円形の開口１７ａ，１７ｂ，１７ｃが形成されている。開口１７ａは、前記交点Ｏから排気出口１３の位置とは反対方向に中心Ｏａを有しており、開口１７ｂと開口１７ｃは、線Ｏ−Ｏａに直交する直線上にそれぞれ中心Ｏｂ，Ｏｃを有している。すなわち、この例では、３つの点Ｏａ，Ｏｂ，Ｏｃは点Ｏａを頂点とする二等辺三角形をなしている。また、前記バーナフランジ１６には、前記３つの開口１７ａ，１７ｂ，１７ｃを覆うようにして風箱４０が取り付けてあり、風箱４０には図示しないブロアから燃焼用空気が圧送される。
【００２２】
前記各開口１７の裏面側（すなわち燃焼室１０側）には、円筒状である燃焼筒１８がその中心軸心線を燃焼室１０の中心軸線Ｌとほぼ平行な姿勢で取り付けてある。各燃焼筒１８には、中心軸心線を同じにして燃料噴射管２０がそれぞれ挿入され、３本の燃料噴射管２０の上流側（上端側）は１つに纏まり、図示しない燃料ガス供給ラインへの接続部２５となっている。図２に示すように、各燃料噴射管２０の下端は各燃焼筒１８の下端とほぼ同じ位置に達しており、燃料噴射管２０の下端には、複数個（図示のものでは４個）のガスノズル２１が形成されている。ガスノズル２１からの燃料ガス噴出角度に特に制限はないが、中心軸心線Ｌ１に直角な仮想平面から下向きに３０゜またはそれに近い角度であることは好適であり、それにより、他の角度と比較してより低ＮＯｘ燃焼が得られることが実験により確認されている。必須のものではないが、この例において、燃料噴射管２０のより上流位置にはガス噴出孔２２が設けてあり、そこからの噴出ガスにより、全体の燃料投入量に対して一部の燃料が、空気との予混合気として形成される。
【００２３】
図２に示すように、各燃料噴射管２０の前記ガスノズル２１の直上位置には、中心軸心線Ｌ１に直交する方向の保炎板２３が取り付けられる。保炎板２３の直径は燃焼筒１８の内径より小さく、保炎板２３の外周縁と燃焼筒１８の内面との間には隙間Ｓが形成される。各保炎板２３における前記ガスノズル２１からの燃料ガスの噴出方向に対応しない４箇所の位置には、それぞれ複数個の空気通過孔２４が形成されている。
【００２４】
なお、上記した燃焼筒１８と、燃焼筒１８内に配置された燃料噴射管２０と、燃料噴射管２０の先端近傍に取り付けられた保炎板２３とを備える形態のバーナ３０の構造は、例えば前記特許文献１に記載されるように既に知られたものである。本発明による燃焼装置Ａでは、その２本以上（図示のものでは３本）のバーナ３０（３０ａ，３０ｂ，３０ｃ）が位置的に隣接して配置され、１つのバーナ群３０として燃焼室１０に組み込まれていることに特徴がある。そして、図示の実施の形態では、１つのバーナ３０ａが燃焼室１０の中心軸線Ｌから前記排気出口１３の位置とは反対方向に一定距離ａだけ離れた位置に取り付けてあり、それにより、バーナ群３０は、全体として、燃焼室１０の中心軸心線Ｌから前記排気出口１３の位置とは反対方向に偏心した状態で配置されていることとなる。
【００２５】
上記の燃焼装置Ａにおいて、風箱４０に燃焼用空気ａｉｒを送り込みながら、燃料ガス供給ラインへの接続部２５から３本の燃料噴射管２０に燃料ガスＧを供給する。燃料ガスＧは燃料噴射管２０の先端に形成したガスノズル２１から噴出し、保炎板２３に形成した空気通過孔２４を通過する燃焼用空気と混合する。一部の燃料ガスは、上流に形成したガス噴出孔２２から噴出する。点火用バーナ４１を作動すると、直近のバーナ（メインバーナ）が着火する。３本のバーナは位置的に隣接して配置されており、その火炎を受けて他の２本のバーナも自動的に着火して、分割火炎を形成する。燃焼室１０内に形成される燃焼ガスは、排気出口１３から排出される。
【００２６】
後の実施例に示すように、本発明による燃焼装置Ａでは、複数個（上記の例では３個）のバーナ３０ａ，３０ｂ，３０ｃを１つのバーナ群３０として構成し、燃焼させることにより、同じ燃料投入量を１個のバーナで得るものと比較して、燃焼により生成されるＮＯｘおよびＣＯの低減が可能となる。また、図示の形態では、前記のように、バーナ群３０を燃焼室１０の中心軸線Ｌから排気出口１３の位置とは反対方向に偏心した状態で配置することにより、燃焼室１０内での燃焼ガスの滞留時間を長くでき、また自己排ガス再循環量を増加できることから、より高い低ＮＯｘ性能と低ＣＯ性能を確保することができる。
【００２７】
前記バーナ群３０の２つの好ましい態様が、例として図３ａおよび図３ｂに示される。図３ａの例では、３個のバーナ３０ａ，３０ｂ，３０ｃは、各バーナにおける燃料噴射管２０に形成したガスノズル２１の向きが、互いに対向する位置とならないようにそれぞれ配置されている。そのために、各バーナからの火炎が大きく干渉するのを回避することができ、燃焼により生成されるＮＯｘおよびＣＯの低減効果を一層確実にすることができる。図３ｂの例では、バーナ３０ａと、バーナ３０ｂおよびバーナ３０ｃとの間では、それぞれの燃料噴射管２０に形成したガスノズル２１の向きが互いに対向する位置とならないように配置されているが、バーナ３０ｂとバーナ３０ｃとの間では、ガスノズル２１，２１の向きは対向している。しかし、２個のバーナ３０ｂとバーナ３０ｃは、対向するガスノズル２１、２１からの火炎がＮＯｘやＣＯの発生に大きな影響を与えない程度に離隔距離をおいて配置されており、この態様でも、燃焼により生成されるＮＯｘおよびＣＯの低減効果が得られることが実験により確かめられている。
【００２８】
なお、図示の形態の燃焼装置Ａでは、バーナ群３０を構成する３個のバーナを、そのガスノズル２１の位置が同一平面上に位置するようにして隣接配置したが、それぞれの燃焼筒１８の長さは完全に同じでなくてもよく、上下方向に多少の許容度があってよい。さらに、燃料噴射管２０の軸心線が燃焼筒１８の軸心線から前記排気出口１３から離れる方向に偏位していてもよい。
【００２９】
また、１個のバーナにのみ点火用バーナ４１を取り付ける例を説明したが、２個あるいは３個のバーナにそれぞれ点火用バーナ４１を取り付けてもよい。１個のバーナにのみ点火用バーナ４１を取り付ける態様においては、他の２個のバーナに着火しない異常な条件（燃焼空気の過剰供給やパイロット燃料の供給不足）がある場合には、安全装置等で保護する安全制御機能を、燃焼装置に取り付けることが望ましい。一例として、パイロットガス圧力が設定値以上でなければ着火しない（メインバーナへのガス供給遮断弁が開かない）、あるいは、空気圧力スイッチを設置し、着火時に空気圧力が設定値以下でなければ着火しないというようなシーケンス制御を設けることが挙げられる。
【００３０】
図示の燃焼装置Ａには示していないが、従来知られた形態の火炎監視装置（ＵＶ）を備えることもできる。この場合も、バーナ群３０において、３個のバーナは位置的に隣接配置されているので、１個のバーナの火炎を監視するのみで、３個のバーナの火炎監視を行うことができる。その場合にも、完全性を担保する観点から、燃焼空気圧力（またはインバータ周波数と空気流量制御弁の開度）とガスノズル前圧力（またはガス流量調整弁開度）から演算して、基準値から外れた場合に、バーナ群への燃料ガスの供給を遮断する等の方法を同時採用することが望ましい。
【００３１】
また、バーナ群３０を構成する３個のバーナにおけるガスノズル２１の数、保炎板２３の形状やその空気通過孔２４の位置と数、およびガスノズル２１からの燃料ガスの噴射角度等も、図示したものは好ましい形態を示す例示であって、これに限らない。部分予混合ガスを形成することも任意である。
【００３２】
さらに燃焼装置Ａの運転において、バーナ群３０を構成する複数の（図示のものでは３個の）バーナ３０ａ，３０ｂ，３０ｃの燃焼量または空気比を同じにして運転してもよく、異なるようにして運転してもよい。例えば、前記排気出口１３から離れているバーナを燃料過剰、排気出口１３に近いバーナを空気過剰で燃焼させる、または、排気出口１３から遠いバーナの燃焼量を多くし、近いバーナの燃焼量を少なくして燃焼させることにより、低ＮＯｘ特性および低ＣＯ特性をさらに改善できる場合がある。
【００３３】
本発明による燃焼装置Ａは、図４に示すように横置き型として設置することもできる。この場合、排気出口１３は、燃焼室１０の周側壁１２にではなく底面１１、すなわちバーナ群３０とは反対側の側端面に形成される。その際に、排気出口１３は燃焼室１０の中心軸線Ｌと同心的に形成されてもよく、図４に示すように、中心軸線Ｌから偏位した位置に形成するようにしてもよい。前者の場合は排気出口が同心位置で、バーナ位置は中心軸線Ｌ上にあってもよいが、好ましくは偏心したほうがよい。後者の場合には、前記バーナ群３０は、燃焼室１０の中心軸線Ｌから排気出口１３の位置とは反対方向に偏心した位置に、好ましくは配置される。
【００３４】
図５は本発明による燃焼装置Ａをボイラの燃焼装置として用いる場合の概略図であり、この場合には、図５では図示を省略しているが、図６に示すように縦置きした燃焼室１０内に水管５０が配置され、燃焼室１０の上下にはヘッダー５１，５２が設けられる。各バーナ３０は上ヘッダー５１を貫通して燃焼室１０内に入り込んでいる。この場合に、前記したように、バーナ群３０を燃焼室１０の中心軸線Ｌから排気出口の位置とは反対方向に適宜距離だけ偏心した状態で配置し、かつ排気出口１３を図５に示すように、燃焼室１０の下流側１／２〜１／３程度の箇所に設けること、および３個のバーナの配置を図３ａまたは図３ｂに示すように、各バーナにより形成される火炎が相互干渉によりＮＯｘやＣＯが増加しない程度に距離をおいて配置することにより、ＮＯｘおよびＣＯの低減を図ることのできるボイラとすることが可能となる。本発明者らの実験では、実施例４に示すように、燃焼量２６００ｋＷ、ターンダウン５：１の全域でＮＯｘ排出濃度３０ｐｐｍ（Ｏ２＝０％、ｄｒｙ換算）以下、ＣＯの発生限界が空気比１．１５の燃焼条件を満足するバーナを備えたボイラとすることができた。
【実施例】
【００３５】
以下、実施例と比較例により本発明による燃焼装置の優位性を説明する。
［実施例１］
前記図１に基づき説明した燃焼装置Ａであって、バーナ群３０を構成する３本のバーナのガスノズルの向きを図３ａに示すように互いに対向しない方向とした燃焼装置を改変して、図７の右上に示すように、バーナ群３０として、ガスノズルの方向はそのまま維持しながら、前記交点Ｏを中心とし１２０度の角度をおいて３本のバーナを交点Ｏから等距離だけ離れた位置に配置した燃焼装置、すなわちバーナ群が偏心位置にない燃焼装置を製造した。その燃焼装置を用いて、図５，図６に示すような多管式貫流ボイラとした。燃料として都市ガス１３Ａ（高位発熱量４５ＭＪ／Ｎｍ３）を用い、ガス流量２３０Ｎｍ３／ｈ，蒸気圧１．８ＭＰａで燃焼を行い、ＮＯｘとＣＯの排出量を測定した。その結果を図７のグラフに−□バーナ３本−として示した。
【００３６】
［比較例１］
前記図１に基づき説明した燃焼装置Ａを改変して、前記交点Ｏの位置に、実施例１と同様の形態のバーナ１本のみを取り付けた燃焼装置を製造し、それを用いて実施例１と同様に多管式貫流ボイラとした。それに対し、実施例１と同じ条件で燃焼を行い、ＮＯｘとＣＯの排出量を測定した。その結果を図７のグラフに−◇バーナ１本−として示した。
【００３７】
［比較］
図７のグラフに示されるように、燃料の投入熱量が同じであっても、本発明による燃焼装置を用いたものは、バーナ１本の場合と比較して、燃焼により生成されるＮＯｘおよびＣＯの量が低減していることがわかる。
【００３８】
［実施例２］
前記図１に基づき説明した燃焼装置Ａ（すなわち、図８の右上に示すようにバーナ群３０が偏心位置にある燃焼装置）であって、バーナ群３０を構成する３本のバーナのガスノズルの向きを図３ａに示すように互いに対向しない方向とした燃焼装置を用いて、図５，図６に示すような多管式貫流ボイラとした。それに対し、実施例１と同じ条件で燃焼を行い、ＮＯｘとＣＯの排出量を測定した。その結果を図８のグラフに−□バーナ３本−として示した。
【００３９】
［比較例２］
前記図１に基づき説明した燃焼装置Ａを改変して、前記交点Ｏから排気出口から反対方向にほぼ距離ａだけ偏心した位置に、実施例１と同様の形態のバーナ１本のみを取り付けた燃焼装置を製造し、それを用いて実施例１と同様に多管式貫流ボイラとした。それに対し、実施例１と同じ条件で燃焼を行い、ＮＯｘとＣＯの排出量を測定した。その結果を図８のグラフに−◇バーナ１本−として示した。
【００４０】
［比較］
図８のグラフに示されるように、燃料の投入熱量が同じであり、かつともに偏心した位置にバーナが配置されていても、本発明による燃焼装置を用いたものは、バーナ１本の場合と比較して、燃焼による生成されるＮＯｘおよびＣＯの量が低減していることがわかる。また、上記実施例１のもの（バーナ群が偏心なし）（図７）と実施例２（バーナ群が偏心あり）（図８）とを比較すればわかるように、燃料の投入熱量が同じであっても、偏心配置した場合は偏心配置でない場合と比較して、燃焼による生成されるＮＯｘおよびＣＯの量が低減している。これにより、本発明による燃焼装置において、バーナ群３０を、燃焼室３０の中心軸心線Ｌから排気出口の位置とは反対方向に偏心した状態で配置することにより、より高い効果が得られることがわかる。
【００４１】
［実施例３］
前記図１に基づき説明した燃焼装置Ａを改変し、図１１に示すように、バーナ３０ａと、バーナ３０ｂおよびバーナ３０ｃとの間でガスノズル２１の向きが互いに対向する位置にしたものとを製造し、それらを用いて実施例１と同様に多管式貫流ボイラとした。それに対し、実施例１と同じ条件で燃焼を行い、ＮＯｘとＣＯの排出量を測定した。その結果を図９のグラフに−◇ガスノズルの向きが対向する場合−として示し。なお、図９にグラフおいて、実施例１の結果は−□ガスノズルの向きが対向しない場合−として示してある。
【００４２】
［比較］
図９のグラフに示されるように、燃料の投入熱量が同じであっても、ガスノズルの向きが対向しないようにした場合は、ガスノズルの向きが対向するようにした場合と比較して、燃焼による生成されるＮＯｘおよびＣＯの量が低減している。これにより、本発明による燃焼装置において、バーナ群３０を構成する各バーナのガスノズルの向きを対向しないように配置することにより、より高い効果が得られることがわかる。
【００４３】
［実施例４］
実施例１で用いた燃焼装置Ａおよび多管式貫流ボイラにおいて、燃焼量（インプット）を変化させて燃焼実験を行った。燃料として都市ガス１３Ａ（高位発熱量４５ＭＪ／Ｎｍ３）を用い、蒸気圧１．８ＭＰａで燃焼を行った。その結果を図１０のグラフに示した。図１０に示されるように、燃焼量２６００ｋＷ、ターンダウン５：１の全域でＮＯｘ排出濃度３０ｐｐｍ（Ｏ２＝０％、ｄｒｙ換算）以下、ＣＯの発生限界が空気比１．１５以上の燃焼条件を満足するバーナを備えたボイラとすることができた。
【図面の簡単な説明】
【００４４】
【図１】本発明による燃焼装置の一例を示しており、図１ａは斜視図、図１ｂは上面図。
【図２】本発明による燃焼装置で用いるバーナの一例を示しており、図２ａはバーナの底面図、図２ｂは図２ａのｂ−ｂ線に沿う一部断面図。
【図３】図３ａと図３ｂは本発明によるバーナ群の２つの例を説明している。
【図４】本発明による燃焼装置を横置き型とした場合の一例を示す斜視図。
【図５】本発明による燃焼装置を用いてボイラを形成する場合の斜視図。
【図６】図５に示すボイラにおいて、水管とバーナ群の位置関係の一例を示す図。
【図７】実施例１（バーナ３本、偏心なし）と比較例１（バーナ１本、偏心なし）でのＮＯｘとＣＯの排出量を示すグラフ。
【図８】実施例２（バーナ３本、偏心あり）と比較例２（バーナ１本、偏心あり）でのＮＯｘとＣＯの排出量を示すグラフ。
【図９】本発明による燃焼装置でのガスノズルの向きが異なる態様におけるＮＯｘとＣＯの排出量を示すグラフ（実施例３）。
【図１０】本発明による燃焼装置をボイラの燃焼装置としたときの、燃焼量とＮＯｘとＣＯの排出量の関係を示すグラフ（実施例４）。
【図１１】実施例３の燃焼実験で用いたガスノズルの向きを説明するための図。
【図１２】従来知られたバーナの一例を説明する図。
【符号の説明】
【００４５】
Ａ…本発明による燃焼装置、１０…円筒形の燃焼室、１１…底面、１２…側壁、１３…排気出口、１６…バーナフランジ、１８…燃焼筒、２０…燃料噴射管、２１…ガスノズル、２３…保炎板、２４…空気通過孔、３０…バーナ群、３０ａ，３０ｂ，３０ｃ…バーナ群を構成する各バーナ
【図１】
2008145069.tif 000003
【図２】
2008145069.tif 000004
【図３】
2008145069.tif 000005
【図４】
2008145069.tif 000006
【図５】
2008145069.tif 000007
【図６】
2008145069.tif 000008
【図７】
2008145069.tif 000009
【図８】
2008145069.tif 000010
【図９】
2008145069.tif 000011
【図１０】
2008145069.tif 000012
【図１１】
2008145069.tif 000013
【図１２】
2008145069.tif 000014